(57)【特許請求の範囲】
【請求項１】
カレンダー情報を記憶保持するとともに、ユーザの操作に基づいて得られた、予約録画をする番組の開始日時、終了日時および入力経路を示す録画予約設定情報を、録画予約の設定として記憶保持する記憶手段と、
画像音声情報が記録される記録媒体と、
前記録画予約設定情報が定期的に録画を行う設定であるとき、前記記録媒体に記録できる最後の記録日時を算出する演算手段と、
この演算手段によって算出された記録日時を表示する表示手段と、
を備える記録再生装置。
【請求項２】
請求項１の記録再生装置において、
前記演算手段は、前記記録媒体の使用可能容量と、定期的に録画を行う番組の１回放送分に使用する前記記録媒体の使用容量とから、前記記録媒体に記録できる最後の記録日時を算出する記録再生装置。
【請求項３】
請求項２の記録再生装置において、
前記演算手段は、予め指定された日時に前記記録媒体の容量が消費されることが分かっている場合には、その消費される容量を差し引いて前記記録媒体の使用可能容量を算出し、予め指定された日時に前記記録媒体の使用領域が開放されることが分かっている場合には、その開放される容量を追加して前記記録媒体の使用可能容量を算出する記録再生装置。
【請求項４】
カレンダー情報を記憶保持する記録再生装置が行う情報処理方法として、
ユーザの操作に基づいて得られた、予約録画をする番組の開始日時、終了日時および入力経路を示す録画予約設定情報を、録画予約の設定として記憶手段に記憶保持する録画予約設定ステップと、
前記録画予約設定情報が定期的に録画を行う設定であるとき、画像音声情報が記録される記録媒体に記録できる最後の記録日時を算出する演算ステップと、
この演算ステップで算出された記録日時を表示する表示ステップと、
を備える情報処理方法。
【請求項５】
請求項４の情報処理方法において、
前記演算ステップでは、前記記録媒体の使用可能容量と、定期的に録画を行う番組の１回放送分に使用する前記記録媒体の使用容量とから、前記記録媒体に記録できる最後の記録日時を算出する情報処理方法。
【請求項６】
請求項５の情報処理方法において、
前記演算ステップでは、予め指定された日時に前記記録媒体の容量が消費されることが分かっている場合には、その消費される容量を差し引いて前記記録媒体の使用可能容量を算出し、予め指定された日時に前記記録媒体の使用領域が開放されることが分かっている場合には、その開放される容量を追加して前記記録媒体の使用可能容量を算出する情報処理方法。
【請求項７】
ユーザの操作に基づいて得られた、予約録画をする番組の開始日時、終了日時および入力経路を示す録画予約設定情報を、録画予約の設定として記憶手段に記憶保持する録画予約設定ステップ、
前記録画予約設定情報が定期的に録画を行う設定であるとき、画像音声情報が記録される記録媒体に記録できる最後の記録日時を算出する演算ステップ、および、
この演算ステップで算出された記録日時を表示する表示ステップ、
をコンピュータに実行させる、コンピュータが読み取り可能なプログラムが記録されている記録媒体。
【発明の詳細な説明】
【０００１】
【発明の属する技術分野】
この発明は、予約録画が可能な記録再生装置、および、この記録再生装置での録画予約に係る情報処理方法に関する。
【０００２】
【従来の技術】
ハードディスクなどの記録媒体の大容量化、低価格化、記録媒体への記録再生アクセス速度の高速化、記録再生伝送速度の高速化、および動画を含む画像信号および音声信号を圧縮符号化する処理の高速化が進んだことに伴い、これらの技術を用いて、テレビジョン番組の画像信号および音声信号を圧縮符号化して記録し、復号して再生することができる画像記録装置が開発されるようになってきた。
【０００３】
このような画像記録装置によれば、ハードディスクに代表される大容量の記録媒体に複数のテレビジョン番組の画像信号および音声信号を記録することが可能となるので、複数の番組を予約録画することができるように、録画する番組を設定する機能と、設定された番組を記録媒体に記録する記録制御機能とを持たせるようにすることが望ましい。
【０００４】
例えば、番組を予約して録画できる機能を有する画像記録装置は、予約録画をする番組の開始日時、終了日時、チャンネルなどの番組入力経路、および録画画質などを設定することができる。
【０００５】
さらに、複数の放送回にわたって放送される連続ドラマのような番組の録画予約を１つの設定で行うために、予約設定項目のうち予約録画をする番組の開始日時と終了日時とを設定するときに、毎日や毎週月曜日等の開始時刻と終了時刻というように設定することができる。
【０００６】
【発明が解決しようとする課題】
しなしながら、この場合、複数の放送回にわたって放送される連続ドラマのような番組の録画予約を１つの設定で行い、予約設定項目のうち予約録画をする番組の開始日時と終了日時の設定を毎日や毎週月曜日等の開始時刻と終了時刻というように設定したとき、記録媒体の容量でいつまで記録できるかが分からず、記録できなかった放送回がある。
【０００７】
そこで、この発明は、複数の放送回にわたって放送される連続ドラマのような番組の録画予約を１つの設定で行い、予約設定項目のうち予約録画をする番組の開始日時と終了日時の設定を毎日や毎週月曜日等の開始時刻と終了時刻というように設定したとき、記録媒体の容量でいつまで記録できるかを表示することができるようにしたものである。
【０００８】
【課題を解決するための手段】
この発明の記録再生装置は、
カレンダー情報を記憶保持するとともに、ユーザの操作に基づいて得られた、予約録画をする番組の開始日時、終了日時および入力経路を示す録画予約設定情報を、録画予約の設定として記憶保持する記憶手段と、
画像音声情報が記録される記録媒体と、
前記録画予約設定情報が定期的に録画を行う設定であるとき、前記記録媒体に記録できる最後の記録日時を算出する演算手段と、
この演算手段によって算出された記録日時を表示する表示手段と、
を備えるものである。
【００１１】
この発明の情報処理方法は、
カレンダー情報を記憶保持する記録再生装置が行う情報処理方法として、
ユーザの操作に基づいて得られた、予約録画をする番組の開始日時、終了日時および入力経路を示す録画予約設定情報を、録画予約の設定として記憶手段に記憶保持する録画予約設定ステップと、
前記録画予約設定情報が定期的に録画を行う設定であるとき、画像音声情報が記録される記録媒体に記録できる最後の記録日時を算出する演算ステップと、
この演算ステップで算出された記録日時を表示する表示ステップと、
を備えるものである。
【００１４】
【発明の実施の形態】
〔記録再生装置のシステム構成〕
図１および図２は、この発明の記録再生装置の一例を示し、映像信号および音声信号を、ＭＰＥＧ（Ｍｏｖｉｎｇ  Ｐｉｃｔｕｒｅ  Ｅｘｐｅｒｔｓ  Ｇｒｏｕｐ）方式によって圧縮符号化し、多重化して、ＭＰＥＧシステムのトランスポートストリーム（ＴＳ：Ｔｒａｎｓｐｏｒｔ  Ｓｔｒｅａｍ）として、ハードディスクドライブ（ＨＤＤ：Ｈａｒｄ  Ｄｉｓｋ  Ｄｒｉｖｅ）内のハードディスクに記録し、ハードディスクから再生する場合である。
【００１５】
なお、以下では、アナログ映像信号およびアナログ音声信号を、映像信号および音声信号と称し、デジタル映像信号およびデジタル音声信号は、デジタル映像データおよびデジタル音声データ、または単に映像データおよび音声データと称する。
【００１６】
この例では、記録再生装置１０は、アナログテレビジョン放送を受信するアンテナ１が接続され、アナログ入力端子１１Ｖ，１１Ａ，１１Ｓ、アナログ出力端子１２Ｖ，１２Ａ，１２Ｓ、デジタル入出力端子１５、デジタルインタフェース１７、入力処理部２０、出力処理部３０、マルチプレクサ／デマルチプレクサ４０、バッファコントローラ５０、ハードディスクドライブ６０、同期制御回路７０、システムコントローラ８０、入出力インタフェース９０、操作入力部１１０およびドライバ１２０を備える。
【００１７】
ハードディスクドライブ６０は、この例では、３枚のハードディスク６１，６２，６３を備え、そのいずれかにトランスポートストリームが記録され、いずれかからトランスポートストリームが再生されるように構成される。
【００１８】
システムコントローラ８０は、ＣＰＵ（Ｃｅｎｔｒａｌ  Ｐｒｏｃｅｓｓｉｎｇ  Ｕｎｉｔ）８１を備え、そのホストバス８２にＲＯＭ（Ｒｅａｄ  ＯｎｌｙＭｅｍｏｒｙ）８３およびＲＡＭ（Ｒａｎｄｏｍ  Ａｃｃｅｓｓ  Ｍｅｍｏｒｙ）８４などが接続されて構成される。
【００１９】
ＲＯＭ８３には、ＣＰＵ８１が実行すべきプログラムが、あらかじめ格納され、ＣＰＵ８１は、そのプログラムを読み出して、記録再生装置１０の各部を制御する。ＲＡＭ８４には、ＣＰＵ８１が記録再生装置１０の各部を制御する上で必要な、その他のプログラムやデータが適宜、書き込まれる。
【００２０】
操作入力部１１０は、キーボード、マウス、ボタン、スイッチ、リモートコマンダなどによって構成され、入出力インタフェース９０を介してホストバス８２に接続される。
【００２１】
ドライバ１２０も、入出力インタフェース９０を介してホストバス８２に接続される。ドライバ１２０は、磁気ディスク１３１、光ディスク１３２、光磁気ディスク１３３、または半導体メモリ１３４などが装着されるように構成され、後述のように、これらに記録されているプログラムをＲＡＭ８４にインストールするものである。
【００２２】
（アナログ入力処理および記録）
アンテナ１で受信されたアナログテレビジョン放送の信号は、操作入力部１１０での操作に基づくシステムコントローラ８０の指示によって、チューナ２１で選局されて、チューナ２１から、選択されたチャンネルのコンポジット映像信号および音声信号が得られ、そのコンポジット映像信号および音声信号が、入力切換回路２２の一方の入力端に供給される。
【００２３】
入力端子１１Ｖには、外部機器からコンポジット映像信号が、入力端子１１Ａには、外部機器から音声信号が、入力端子１１Ｓには、外部機器からセパレート映像信号が、それぞれ供給される。
【００２４】
入力端子１１Ｖからのコンポジット映像信号、および入力端子１１Ａからの音声信号は、入力切換回路２２の他方の入力端に供給され、入力切換回路２２がシステムコントローラ８０によって切り換えられて、入力切換回路２２から、いずれかのコンポジット映像信号および音声信号が選択されて取り出される。
【００２５】
入力切換回路２２からのコンポジット映像信号は、ＹＣ分離回路２３で輝度信号と色差信号に分離されて、別の入力切換回路２４の一方の入力端に供給される。また、入力端子１１Ｓからのセパレート映像信号（輝度信号および色差信号）が、入力切換回路２４の他方の入力端に供給され、入力切換回路２４がシステムコントローラ８０によって切り換えられて、入力切換回路２４から、いずれかの輝度信号および色差信号が選択されて取り出される。
【００２６】
入力切換回路２４からの輝度信号および色差信号は、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）デコーダ２５で、それぞれＡ／Ｄ（Ａｎａｌｏｇ  ｔｏ  Ｄｉｇｉｔａｌ）変換され、さらにクロマエンコード処理されて、ＮＴＳＣデコーダ２５からコンポーネント映像データが得られる。
【００２７】
また、ＮＴＳＣデコーダ２５では、入力切換回路２４からの輝度信号から垂直同期信号および水平同期信号が分離されるとともに、その分離された同期信号に基づいてクロックおよびフィールド判別信号が生成され、これら同期信号、クロックおよびフィールド判別信号が、同期制御回路７０に供給される。同期制御回路７０では、これらの信号を基準として記録再生装置１０の各部に必要なクロックおよびタイミング信号が生成されて、記録再生装置１０の各部に供給される。
【００２８】
ＮＴＳＣデコーダ２５からの映像データは、プリ映像処理回路２６でプリフィルタリング処理などの処理が施されたのち、ＭＰＥＧ映像エンコーダ２７および出力処理部３０のポスト映像処理回路３２に供給される。
【００２９】
ＭＰＥＧ映像エンコーダ２７では、プリ映像処理回路２６からの映像データに対してブロックＤＣＴ（Ｄｉｓｃｒｅｔｅ  Ｃｏｓｉｎｅ  Ｔｒａｎｓｆｏｒｍ）などの符号化処理が施されて、映像エレメンタリストリーム（ＥＳ：Ｅｌｅｍｅｎｔａｒｙ  Ｓｔｒｅａｍ）が生成され、その映像エレメンタリストリームがマルチプレクサ／デマルチプレクサ４０に供給される。
【００３０】
一方、入力切換回路２２からの音声信号は、Ａ／Ｄ変換器２８でデジタル音声データに変換されたのち、ＭＰＥＧ音声エンコーダ２９および出力処理部３０の出力切換回路３５に供給される。
【００３１】
ＭＰＥＧ音声エンコーダ２９では、Ａ／Ｄ変換器２８からの音声データがＭＰＥＧ方式によって圧縮符号化されて、音声エレメンタリストリームが生成され、その音声エレメンタリストリームがマルチプレクサ／デマルチプレクサ４０に供給される。
【００３２】
マルチプレクサ／デマルチプレクサ４０では、そのマルチプレクサにおいて、ＭＰＥＧ映像エンコーダ２７からの映像エレメンタリストリームおよびＭＰＥＧ音声エンコーダ２９からの音声エレメンタリストリームと各種の制御信号が多重化されて、ＭＰＥＧシステムのトランスポートストリームが生成され、そのトランスポートストリームがバッファコントローラ５０に送出される。
【００３３】
バッファコントローラ５０は、マルチプレクサ／デマルチプレクサ４０から連続的に入力されるトランスポートストリームを、ハードディスクドライブ６０に断続的に送出する。すなわち、ハードディスクドライブ６０がシーク動作を行っているときには、書き込みができないので、入力されたトランスポートストリームをバッファに一時蓄え、ハードディスクドライブ６０が書き込み可能なときに、そのトランスポートストリームを入力レートより高いレートでバッファから読み出してハードディスクドライブ６０に送出する。これによって、バッファコントローラ５０に連続的に入力されるトランスポートストリームは、途切れることなくハードディスク６１〜６３に記録される。
【００３４】
ハードディスクドライブ６０は、システムコントローラ８０によって制御されて、ハードディスク６１〜６３にトランスポートストリームを書き込む。バッファコントローラ５０とハードディスクドライブ６０との間のプロトコル（インタフェース）としては、ＩＤＥ（Ｉｎｔｅｇｒａｔｅｄ  Ｄｒｉｖｅ  Ｅｌｅｃｔｒｏｎｉｃｓ）などが用いられる。
【００３５】
（再生およびアナログ出力処理）
再生時には、ハードディスクドライブ６０は、システムコントローラ８０によって制御されて、ハードディスク６１〜６３からトランスポートストリームを読み出し、バッファコントローラ５０に送出する。バッファコントローラ５０は、記録時とは逆に、ハードディスクドライブ６０から断続的に入力されるトランスポートストリームを、連続的なトランスポートストリームに変換して、マルチプレクサ／デマルチプレクサ４０に供給する。
【００３６】
マルチプレクサ／デマルチプレクサ４０では、そのデマルチプレクサにおいて、その連続的なトランスポートストリームのヘッダが解析処理されることによって、トランスポートストリームからＰＥＳ（Ｐａｃｋｅｔｉｚｅｄ  Ｅｌｅｍｅｎｔａｒｙ  Ｓｔｒｅａｍ）が分離されて、ＭＰＥＧ映像音声デコーダ３１に供給される。
【００３７】
ＭＰＥＧ映像音声デコーダ３１では、マルチプレクサ／デマルチプレクサ４０からのＰＥＳが映像エレメンタリストリームと音声エレメンタリストリームに分離され、さらに、その映像エレメンタリストリームがＭＰＥＧ映像デコーダで復号されてベースバンドの映像データに変換され、音声エレメンタリストリームがＭＰＥＧ音声デコーダで復号されてベースバンドの音声データに変換される。変換後の映像データはポスト映像処理回路３２に供給され、音声データは出力切換回路３５に供給される。
【００３８】
ポスト映像処理回路３２では、システムコントローラ８０の指示によって、ＭＰＥＧ映像音声デコーダ３１からの映像データおよびプリ映像処理回路２６からの映像データに対して、両者の切り換え、または合成や、ポストフィルタリング処理などの処理が施される。
【００３９】
ポスト映像処理回路３２では、また、ＧＵＩ（Ｇｒａｐｈｉｃａｌ  ＵｓｅｒＩｎｔｅｒｆａｃｅ）用に、代表画面を生成し、複数の代表画面を縮小して、ウィンドウに貼り付ける処理が施され、処理後の映像データが、ＯＳＤ（Ｏｎ  Ｓｃｒｅｅｎ  Ｄｉｓｐｌａｙ）処理回路３３に供給される。
【００４０】
ＯＳＤ処理回路３３では、システムコントローラ８０の指示によって、テキスト情報などに対応する画像データを生成して、ポスト映像処理回路３２からの映像データの、上記のウィンドウ部分の映像データに重畳する処理が施され、処理後の映像データが、ＮＴＳＣエンコーダ３４に供給される。
【００４１】
ＮＴＳＣエンコーダ３４では、ＯＳＤ処理回路３３からの映像データ（コンポーネント映像データ）が、輝度データと色差データとに変換された上で、または変換されることなくそのまま、それぞれＤ／Ａ（Ｄｉｇｉｔａｌ  ｔｏ  Ａｎａｌｏｇ）変換されて、それぞれアナログ信号のセパレート映像信号およびコンポジット映像信号が生成される。そのセパレート映像信号は出力端子１２Ｓに導出され、コンポジット映像信号は出力端子１２Ｖに導出される。
【００４２】
一方、出力切換回路３５では、システムコントローラ８０によって、ＭＰＥＧ映像音声デコーダ３１からの音声データと、Ａ／Ｄ変換器２８からの音声データとの、いずれかが選択されて取り出される。その選択された音声データは、Ｄ／Ａ変換器３６でアナログ音声信号に変換されて、出力端子１２Ａに導出される。
【００４３】
出力端子１２Ｓに導出されたセパレート映像信号、出力端子１２Ｖに導出されたコンポジット映像信号、および出力端子１２Ａに導出された音声信号が、外部のテレビジョン受信機などのモニタ装置２に出力されることによって、モニタ装置２において、画像が表示され、音声が出力される。
【００４４】
（外部装置からの映像音声データの記録再生）
この例では、記録再生装置１０は、デジタル入出力端子１５とマルチプレクサ／デマルチプレクサ４０との間にデジタルインタフェース１７が接続されて、デジタル入出力端子１５に外部装置５を接続することによって、外部装置５から入力されたトランスポートストリームをハードディスク６１〜６３に記録し、ハードディスク６１〜６３から再生されたトランスポートストリームを外部装置５に出力することができるように構成される。
【００４５】
外部装置５としては、ＩＲＤ（Ｉｎｔｅｇｒａｔｅｄ  Ｒｅｃｅｉｖｅｒ  Ｄｅｃｏｄｅｒ）やパーソナルコンピュータなどの機器を接続することができる。デジタルインタフェース１７としては、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４デジタルインタフェースが用いられ、外部装置５とデジタル入出力端子１５とを接続するシリアルバス６としては、ＩＥＥＥ１３９４シリアルバスが用いられる。
【００４６】
外部装置５からシリアルバス６を介してデジタル入出力端子１５に入力されたトランスポートストリームは、デジタルインタフェース１７でインタフェース処理されてマルチプレクサ／デマルチプレクサ４０に送出され、マルチプレクサ／デマルチプレクサ４０からバッファコントローラ５０に送出されて、ハードディスクドライブ６０によってハードディスク６１〜６３に記録される。
【００４７】
これと同時に、マルチプレクサ／デマルチプレクサ４０のデマルチプレクサで、記録されるトランスポートストリームからＰＥＳが分離されて、ＭＰＥＧ映像音声デコーダ３１に供給されることによって、出力端子１２Ｖ，１２Ｓおよび１２Ａに、アナログ映像信号およびアナログ音声信号を得ることができる。
【００４８】
再生時には、ハードディスクドライブ６０によってハードディスク６１〜６３からトランスポートストリームが読み出されて、その再生されたトランスポートストリームが、バッファコントローラ５０に送出され、バッファコントローラ５０からマルチプレクサ／デマルチプレクサ４０に送出されて、デジタルインタフェース１７でインタフェース処理されてデジタル入出力端子１５に出力され、デジタル入出力端子１５からシリアルバス６を介して外部装置５に送出されて、外部装置５に接続されたモニタ装置７において、画像が表示され、音声が出力される。
【００４９】
これと同時に、マルチプレクサ／デマルチプレクサ４０のデマルチプレクサで、再生されたトランスポートストリームからＰＥＳが分離されて、ＭＰＥＧ映像音声デコーダ３１に供給されることによって、出力端子１２Ｖ，１２Ｓおよび１２Ａに、再生アナログ映像信号および再生アナログ音声信号を得ることができる。
【００５０】
〔毎日毎週録画予約の実施形態〕
以上のような記録再生装置１０において、複数の放送回にわたって放送される連続ドラマのような番組の録画予約を１つの設定で行い、予約設定項目のうち予約録画をする番組の開始日時と終了日時の設定を毎日や毎週月曜日等の開始時刻と終了時刻というように設定する場合の録画予約設定処理方法の一例を、以下に示す。
【００５１】
図３は、この場合にシステムコントローラ８０が行う録画予約設定処理ルーチンの一例を示し、図４は、その説明用である。
【００５２】
ここで、説明を簡潔にするために、複数の放送回にわたって放送される連続ドラマのような番組の録画予約を１つの設定で行い、予約設定項目のうち予約録画をする番組の開始日時と終了日時の設定を毎日や毎週月曜日等の開始時刻と終了時刻というように設定する予約設定を、毎日毎週録画予約と呼ぶことにする。
【００５３】
この録画予約設定処理ルーチンでは、ユーザが操作入力部１１０で録画予約の操作をすることによって録画予約設定処理を開始して、まずステップＳ１において、システムコントローラ８０は、操作入力部１１０から、予約録画をする番組のチャンネル、開始日時、終了日時および録画画質を、録画予約設定情報としてＲＡＭ８４に取り込む。
【００５４】
このとき、開始日時と終了日時の設定が、「毎日」「毎週月曜日」のように設定されたときに、システムコントローラ８０は、予約設定が毎日毎週録画予約であることがわかる。
【００５５】
次に、ステップＳ２において、システムコントローラ８０は、ハードディスク６１〜６３の記録可能な記録容量を算出する。このとき、既に番組予約が為されていて、記録媒体を使用することが分かっているときは、その記録媒体の使用予定量を録画時間と画像音声圧縮レートとから算出して、録画予定日時以降ハードディスク６１〜６３の空き容量から差し引く。また、古くなった番組を消去するように予め設定された場合などのように、消去されることが分かっている記録がある場合には、消去予定日以降のハードディスク容量に追加する。
【００５６】
次に、ステップＳ３において、システムコントローラ８０は、毎週毎日録画の放送１回分の記録に必要な記録容量を算出する。
【００５７】
次に、ステップＳ４において、システムコントローラ８０は、ステップＳ２で算出されたハードディスク６１〜６３の空き容量とステップＳ３で算出された放送１回分の容量とを比較し、ハードディスク６１〜６３に何回分の放送が記録できるかを算出する。記録可能な放送回数と予約されている放送日時とＲＯＭ８３に記憶されているカレンダーから、最後に記録される放送日時を特定する。
【００５８】
次に、ステップＳ５において、システムコントローラ８０は、ステップＳ４で特定された毎日毎週録画番組の最終録画予定日時を表示する。
【００５９】
このように、複数の放送回にわたって放送される連続ドラマのような番組の録画予約を１つの設定で行い、予約設定項目のうち予約録画をする番組の開始日時と終了日時の設定を毎日や毎週月曜日等の開始時刻と終了時刻というように設定するとき、記録媒体に最後に記録される放送日時を特定し、それを表示することができる。
【００６０】
上述した例は、予約設定処理をソフトウェアによって実現する場合で、このように予約設定処理をソフトウェアによって実現する場合には、そのソフトウェアを構成するプログラムは、記録再生装置１０が専用のハードウェアを構成する場合には、これに組み込まれているコンピュータであるシステムコントローラ８０に、記録媒体からインストールされ、記録再生装置１０が各種のプログラムをインストールすることによって各種の機能を実行することができる汎用のパーソナルコンピュータとして構成される場合には、そのパーソナルコンピュータに、記録媒体からインストールされる。
【００６１】
この記録媒体は、図２に示すように、記録再生装置１０（コンピュータ）とは別に、ユーザにプログラムを提供するために配布される、プログラムが記録されている磁気ディスク（フロッピーディスクを含む）１３１、光ディスク（ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）を含む）１３２、光磁気ディスク（ＭＤ（Ｍｉｎｉ  Ｄｉｓｋ）を含む）１３３、または半導体メモリ１３４などからなるパッケージメディアによって構成されるだけでなく、あらかじめ記録再生装置１０（コンピュータ）に組み込まれた状態でユーザに提供される、プログラムが格納されているＲＯＭ８３やハードディスクドライブ６０に含まれるハードディスク６１〜６３などによって構成される。
【００６２】
記録媒体に記録されるプログラムに記述するステップは、特許請求の範囲に記載された順序に沿って時系列的に実行される処理を含むことはもちろん、時系列的に実行されずに、並列的または個別に実行される処理をも含むものである。
【００６３】
なお、予約設定処理は、ソフトウェアではなく、ハードウェアによって実現することもできる。
【００６４】
〔他の実施形態〕
上述した実施形態は、映像データおよび音声データをＭＰＥＧ方式によって圧縮する場合であるが、他の圧縮方式によって圧縮してもよく、あるいは圧縮しないで、単にデジタルデータに変換し、またはデジタルデータのままとするだけでもよい。
【００６５】
また、上述した実施形態は、記録再生装置の記録媒体としてハードディスクを用いる場合であるが、光ディスク、光磁気ディスク、半導体メモリなどを用いてもよい。
【００６６】
【発明の効果】
以上のように、この発明によれば、複数の放送回にわたって放送される連続ドラマのような番組の録画予約を１つの設定で行い、予約設定項目のうち予約録画をする番組の開始日時と終了日時の設定を毎日や毎週月曜日等の開始時刻と終了時刻というように設定するとき、記録媒体に最後に記録される放送日時を特定して表示することができる。最後に記録される放送日時が分かれば、ユーザは、記録媒体の容量が不足する前に不要な記録を消去したり、記録する記録媒体を変更したり、記録媒体の容量を増設する等の対処方法を講じることができる。
【図面の簡単な説明】
【図１】この発明の記録再生装置の一例の一部を示す図である。
【図２】この発明の記録再生装置の一例の一部を示す図である。
【図３】システムコントローラが行う録画予約設定処理ルーチンの一例を示す図である。
【図４】録画予約設定処理の説明に供する図である。
【符号の説明】
主要部については図中に全て記述したので、ここでは省略する。
【図１】
0004264563.tif 000002
【図２】
0004264563.tif 000003
【図３】
0004264563.tif 000004
【図４】
0004264563.tif 000005